(57)【特許請求の範囲】
【請求項１】
上端に笠木を備えた間仕切壁の上方に、前記笠木の前後方向の厚みよりも薄い板厚のアッパーボードを、平面視で前記笠木と同じ方向に延びるように取り付けるための装置であって、
前記アッパーボードの前面側と後面側とに配置される前後一対のクランプ体と、前記両クランプ体を互いに引き付けるねじを備えており、
前記両クランプ体は、前記アッパーボードの下部に重なるボード挟持部と、前記笠木の前面又は後面に重なる笠木挟持部とをそれぞれ有しており、
前記アッパーボードとその前後のボード挟持部とを前記ねじで共締めすることにより、前記笠木挟持部で前記笠木が前後両側から挟持されるように設定している、
間仕切壁へのアッパーボードの取り付け装置。
【請求項２】
前記笠木の前面と後面とには、横長の溝条が全長にわたって延びるように形成されている一方、
前記両クランプ体は金属板製又は合成樹脂製であり、これら両クランプ体の笠木挟持部には、前記溝条の上部開口縁に下方から引っ掛ることにより前記各クランプ体を上向き抜け不能に保持する嵌合部を、前記溝条に向けて上方から斜め下向きに延びるように形成している、
請求項１に記載した間仕切壁へのアッパーボードの取り付け装置。
【請求項３】
前記笠木の前面と後面とには、少なくとも下向きに落ち込んだ蟻溝形の溝条が形成されており、このため、前記溝条の開口部の下方は、前記溝条の下面よりも高くなった土手部又はリップ部となっている一方、
前記両クランプ体は金属板製又は合成樹脂製であり、前記両クランプ体の嵌合部には、前記笠木の土手部又はリップ部に内側から当接する係合部を形成している、
請求項２に記載した間仕切壁へのアッパーボードの取り付け装置。
【請求項４】
前記両クランプ体とねじとに加えて、前記両クランプ体を全体的に又は部分的に覆う前後一対のカバーを備えている、
請求項１〜請求項３のうちの何れかに記載した間仕切壁へのアッパーボードの取り付け装置。
【発明の詳細な説明】
【０００１】
【発明の属する技術分野】
本発明は、間仕切壁の上面にアッパーボード（アッパーパネル、補助ボード、補助パネル、上部目隠し板などと言い換えてもよい）を追加的に取り付けるための装置に関するものである。
【０００２】
【従来の技術】
間仕切壁の上面に、遮蔽や美観等の理由でアッパーボードを追加的に取り付けることがある。
【０００３】
この場合の取り付け手段として、例えば実開平６−５６２３６号公報には、間仕切壁の縦フレームの上面にアッパーフレームを継ぎ足して、両アッパーフレームにアッパーボードを取り付けることが開示されている。
【０００４】
また、実開平７−２３１２２号公報には、間仕切壁の上面に形成した溝にアッパーボードの下部を嵌め込むことが開示されている。
【０００５】
【発明が解決しようとする課題】
間仕切壁の縦フレームの上面にアッパーフレームを継ぎ足してアッパーボードを取り付ける方式の場合、取り付け強度の点では優れているといえるが、コストがかかる点や取り付け作業に手間が掛かる点、或いは、アッパーボードの左右横幅は規定されてしまう点に問題がある。
【０００６】
他方、間仕切壁の上面に形成した溝にアッパーボードの下部を嵌め込む方式は、アッパーボードの左右横幅は自由に設定できる点で優れているが、間仕切壁の上面に溝がない場合には適用できない点や、取り付け強度が弱い点で問題があった。
【０００７】
本発明は、このような現状を改善することを課題とするものである。
【０００８】
【課題を解決するための手段】
本発明者は、間仕切壁の上端に一般に笠木（或いは上部横フレーム）が配置されている点に着目し、笠木を利用してアッパーボードを取り付けるべく、本願発明を完成させるに至った。
【０００９】
すなわち請求項１の発明に係る取り付け装置では、前記アッパーボードの前面側と後面側とに配置される前後一対のクランプ体と、前記両クランプ体を互いに引き付けるねじを備えており、前記両クランプ体は、前記アッパーボードの下部に重なるボード挟持部と、前記笠木の前面又は後面に重なる笠木挟持部とをそれぞれ有しており、前記アッパーボードとその前後のボード挟持部とを前記ねじで共締めすることにより、前記笠木挟持部で前記笠木が前後両側から挟持されるように設定している。
【００１０】
請求項２の発明は、請求項１において、前記笠木の前面と後面とには、横長の溝条が全長にわたって延びるように形成されている一方、前記両クランプ体は金属板製又は合成樹脂製であり、これら両クランプ体の笠木挟持部には、前記溝条の上部開口縁に下方から引っ掛ることにより前記各クランプ体を上向き抜け不能に保持する嵌合部を、前記溝条に向けて上方から斜め下向きに延びるように形成している。
【００１１】
請求項３の発明では、請求項２において、前記笠木の前面と後面とには、少なくとも下向きに落ち込んだ蟻溝形の溝条が形成されており、このため、前記溝条の開口部の下方は、前記溝条の下面よりも高くなった土手部又はリップ部となっている一方、前記両クランプ体は金属板製又は合成樹脂製であり、前記両クランプ体の嵌合部には、前記笠木の土手部又はリップ部に内側から当接する係合部を形成している。
【００１２】
本願発明では、請求項４に記載したように、前後クランプ体とねじとに加えて、前記両クランプ体を全体的に又は部分的に覆う前後一対のカバーを備えていても良い。
【００１３】
【発明の作用・効果】
本願発明によると、前後クランプ体とアッパーボードとは一体に固定されており、かつ、笠木は前後クランプ体で前後から挟み固定することができる。このため、アッパーボードを簡単にしかも強固に取り付けることができる。
【００１４】
また、取り付け装置は笠木の任意の位置に固定できるため、アッパーボードの巾寸法は自由に設定することができる。また、多くの間仕切壁は笠木を備えているため、適用できる範囲を広くすることもできる。更に、部材点数も少なく構造も簡単で良いため、コストが嵩むこともない。
【００１５】
請求項２のように構成すると、取り付け強度を向上できる利点である。更に請求項３のように構成すると、ねじのねじ込みにより、クランプ体の下部が横フレームの土手部に突っ張った状態になるため、取り付け強度をより一層向上することができる。更に、請求項４のように構成すると美観を向上できる。
【００１６】
【発明の実施形態】
次に、本発明の実施形態を図面に基づいて説明する。
【００１７】
(1).概要
本実施形態は折り畳み式のワーキングブースに適用しており、図１は展開した状態での斜視図、図２は平面図、図３は正面図である。
【００１８】
ワーキングブースは第１ユニット１と第２ユニット２とから成っており、第１ユニット１は、バック間仕切壁３とサイド間仕切壁４と第１天板５と上部棚板６とを備えている。
【００１９】
第２ユニット２は、バック間仕切壁３と第２サイド間仕切壁４と第２天板７と備えている。両ユニット１，２のバック間仕切壁３を平面視で直角の姿勢にすることにより、両ユニット１，２を角筒状に折り畳むことができる。両ユニット１，２の端部には、折り畳み操作や展開操作、或いは移動の便宜のため、縦長の把手８を設けている。
【００２０】
両ユニット１，２とも、天板５，７や棚板６はブラケットで間仕切壁２，３に固定されている。また、両ユニット１，２におけるバック間仕切壁３の上面に、本願発明を具体化した取り付け装置１０でアッパーボード１１が取り付けられている。
【００２１】
アッパーボード１１は、合成樹脂板やガラス板、或いは木製板など、必要に応じて様々の素材を選択できる。積層構造にしても良い。また、透明としたり半透明としたり、模様を施しても良い。押しピンを突き刺し得るピンナップ性を付与しても良い。額縁状の枠に布やスクリーン、メッシュなどの非剛体を張った構造とすることも可能である。
【００２２】
各間仕切壁３，４は、パネル１２と、その左右両側縁に配置した縦フレーム１３と、パネル１２の上端に配置した笠木１４と、パネル１２の下端に配置した巾木１５とを備えている。また、各間仕切壁３，４ともキャスター１６を設けている。
【００２３】
(2).アッパーボードの取り付け構造
次に、図４〜図８に基づいて、アッパーボード１１の取り付け構造を説明する。図４は分離斜視図、図５はキャップを裏返してみた斜視図、図６は取り付け状態での正面図、図７は図６の VII-VII視断面図、図８は図７の VIII-VIII視断面図である。
【００２４】
図４や図８に示すように、笠木１４の下端面には下向きリップ１７が突設されており、これをパネル１２に形成した上向き開口溝１８に嵌め入れている。詳細は省略するが、笠木１４の両端は、連結ブロック１９などを介して縦フレーム１３に接続されている。
【００２５】
笠木１４の前後両面には溝条２０が形成されている。この場合、溝条２０はその奥部において上下に広がった蟻溝になっており、このため、溝条２０の開口部の上下は土手部（リップ部）２１，２２になっている。なお、笠木１４は合成樹脂や軽合金の押し出し加工により、全長にわたって同一断面形状に形成されている。
【００２６】
取り付け装置１０は、第１クランプ体２３と、第２クランプ体２４と、両クランプ体２３，２４を引き付けるねじ（ビス）２５と、前後一対のカバー２６とから成っている。両クランプ体２３，２４は金属板製であり、カバー２６は合成樹脂製である。
【００２７】
図７に示すように、両クランプ体２３，２４は笠木１４の上部前面と上面とに重なる笠木挟持部２８と、その上端に連接したボード挟持部２９と、笠木挟持部２８の下端に連接されていて笠木１４の溝条２０に入り込む傾斜状の嵌合部３０とを備えている。
【００２８】
ボード挟持部２９でアッパーボード１１を挟むようになっており、第１クランプ体２３のボード挟持部２９にはねじ挿入穴３１が空いており、第２クランプ体２４のボード挟持部２９にはねじ穴（ナット）３２を設けている。アッパーボード１１にもねじ２５が通る穴３３が空いている。
【００２９】
なお、ナットを固着することに代えて、バーリング部にねじ穴をタップ加工しても良い。また、両クランプ体２３，２４に単なる穴を空けて、ボルト（ビス）とナットとで締結しても良い。
【００３０】
クランプ体２３，２４における嵌合部３０は、その上端部が笠木１４の上土手部２１に当たるようになっており、このためクランプ体２３，２４は上向移動不能に保持される。また、嵌合部３０の下端には、笠木１４の下土手部２２に内側から当接する係合部（突っ張り部）３４を折り曲げ形成している。
【００３１】
このため、両クランプ体２３，２４は、笠木１４の上土手部２１を支点にした状態で係合部３４が笠木１４の下土手部２２に突っ張った状態になっており、このため、両クランプ体２３，２４は、そのボード挟持部２９を鉛直状になった状態で互いに接近し難くなっている。このため、ねじ２５のねじ込みによって両クランプ体２３，２４を笠木１４に強固に固定することができ、その結果、アッパーボード１１を安定した状態に保持できる。
【００３２】
クランプ体２３，２４の係合部３４は嵌合部３０よりも長く形成されている。これは笠木１４への負担を軽減するためである。両クランプ体２３，２４におけるボード挟持部２９の左右両側縁には、平面視でアッパーボード１１と反対側に段落ちした状態の翼片３５が形成されている。
【００３３】
カバー２６はクランプ体２３，２４の全体を上方からすっぽり覆うようになっており、このため、クランプ体２３，２４に対応した空所３６が形成されている。また、カバー２６の空所３６には、クランプ体２３，２４のボード挟持部２９に当たるリブ３７が形成されており、更に、カバー２６の左右両縁部には、クランプ体２３，２４の翼片３５を抱き込む内向きリップ３８が形成されている。
【００３４】
したがって、カバー２６は上方からクランプ体２３，２４に着脱することができ、取り付けた状態で離反不能に保持される。なお、蟻溝状の溝条を利用してクランプ体を強固に取り付けることは、間仕切壁の縦フレームに横向きボードを取り付ける場合など、間仕切壁の外フレームにボードを後付けすることに広く適用できる。
【００３５】
(4).変形例（図９）
図９に示すように、カバー２６はクランプ体２３，２４のボード挟持部２９のみを覆う上下寸法であっても良い。また、クランプ体２３，２４を合成樹脂の成形品やダイキャスト成形品とするなどして美観を確保できれば、必ずしもカバー２６は必要ない。
【００３６】
(5).その他
本発明は更に様々の構造に具体化することができる。例えばクランプ体を左右に長く延びる形態にすることも可能である。笠木の前後両面に凸条が形成されている場合は、この凸条を利用してクランプ体の上向き抜け不能としても良い。
【００３７】
また、一対のクランプ体を２本以上のねじで締結しても良い。更に、アッパーボードには必ずしもねじを貫通させる必要はなく、要は、前後のクランプ体で挟持できる状態なら良い。
【００３８】
いうまでもないが、本願発明はワーキングブースを構成する間仕切壁のみならず、各種の間仕切壁に適用することができる。
【００３９】
(6).笠木の他の使用例１（図10〜図12）
図１０〜図１２では、笠木１４を利用してアッパーテーブル４０を取り付けた例を示している。図１０は斜視図、図１１は部分的な平面図、図１２は図１１のXII-XII 視断面図である。
【００４０】
この例では、笠木１４の溝条２０に嵌入する複数本のアーム４１にアッパーテーブル４０をねじ４２で固定している。アーム４１の付け根部は、笠木１４の上土手部２１に引っ掛かるよう爪状に形成されている。
【００４１】
アッパーボード１１にナット４３を接着又はねじ止めし、これにねじ４２をねじ込んでいる。また、アッパーボード１１の前後中間部には、笠木１４に当たるスペーサ４４を設けている。
【００４２】
アッパーテーブル４０の素材は、木製板や合板、合成樹脂板、ガラス板、金属板など、用途に応じて自由に設定できる。載置した物が滑らないように、上面にゴム等の軟質板やコルク板を貼っても良い。アーム４１は左右方向に長く延びる形態でも良い。
【００４３】
(6).笠木の他の使用例２（図13〜図14）
図１３〜図１４では、笠木１４を利用してハンギングプレート４５を取り付けた例を示している。図１３は正面図、図１４のうち（Ａ）は図１３のＡ−Ａ視断面図、（Ｂ）は図１３のＢ−Ｂ視断面図である。
【００４４】
ハンギングプレート４５は合成樹脂製や軽合金製であり、蟻溝状で前向きに開口したハンギング溝４６が多段に形成されている。ハンギングプレート４５における左右両側部の裏面には、上下全長にわたる補強板４７と、上部のみに位置した吊り金具４８とが重なっており、三者をねじ４９で共締めしている。
【００４５】
吊り金具４８には、笠木１４の溝条２０に嵌入する鉤部４８ａが形成されており、鉤部４８ａの上端には、笠木１４の上土手部２１に内側から当たる係合部４８ｂが形成されている。このため、ハンギングプレート４５はその下部が手前側となるように傾斜させない限り落下することはない。
【００４６】
ハンギングプレート４５のハンギング溝４６を利用して、小物入れ５０などの様々の物品を吊り掛けることができる。
【００４７】
(7).笠木の他の使用例３（図15〜図17）
図１５〜図１７では、笠木１４に吊りかけできるピンナップボード５１を示している。図１５は正面図、図１６は図１５の図１５のXVI-XVI 視断面図、図１７は図１５のXVII-XVII 視断面図である。
【００４８】
ピンナップボード５１は、ゴム質やコルク質のように押しピン５２を付き刺しできる材質からなっており、周囲は補強板４７で補強されている。そして、ハンギングプレート４５の場合と同じ吊り金具４８をねじ４９で取り付けている。
【００４９】
従って、ピンナップボード５１は、ハンギングプレート４５と同じ状態で笠木１４に着脱自在に吊り掛けることができる。
【図面の簡単な説明】
【図１】ワーキングブースの斜視図である。
【図２】平面図である。
【図３】正面図である。
【図４】取り付け装置の分離斜視図である。
【図５】カバーを上下逆向きにして裏返した状態の斜視図である。
【図６】取り付け状態での正面図である。
【図７】図７の VII-VII視断面図である。
【図８】図７の VIII-VIII視断面図である。
【図９】変形例の断面図である。
【図10】アッパーテーブルを取り付けた状態の斜視図である。
【図11】図１６の正面図である。
【図12】図１１のXII-XII 視断面図である。
【図13】笠木にハンギングプレートを吊り掛けた状態の正面図である。
【図14】(A)は図13のA-A 視断面図、 (B)は図13のB-B 視断面図である。
【図15】笠木に吊り掛けできるピンナップボードの正面図である。
【図16】図１５のXVI-XVI 視断面図である。
【図17】図１５のXVII-XVII 視断面図である。
【符号の簡単な説明】
１  第１ユニット
２  第２ユニット
３  バック間仕切壁
４  サイド間仕切壁
５，７  天板
１０  取り付け装置
１１  アッパーボード
１４  笠木
２０  溝条
２１，２２  土手部
２２，２３  クランプ体
２５  ファスナーの一例としてのねじ
２６  カバー
２８  笠木挟持部
２９  ボード挟持部
３０  嵌合部
３４  係合部
【図１】
0003561486.tif 000002
【図２】
0003561486.tif 000003
【図３】
0003561486.tif 000004
【図４】
0003561486.tif 000005
【図５】
0003561486.tif 000006
【図６】
0003561486.tif 000007
【図７】
0003561486.tif 000008
【図８】
0003561486.tif 000009
【図９】
0003561486.tif 000010
【図１０】
0003561486.tif 000011
【図１１】
0003561486.tif 000012
【図１２】
0003561486.tif 000013
【図１３】
0003561486.tif 000014
【図１４】
0003561486.tif 000015
【図１５】
0003561486.tif 000016
【図１６】
0003561486.tif 000017
【図１７】
0003561486.tif 000018